(57)【要約】【課題】  高温の内容液によりキャップの内圧が上昇しても開蓋したり、シャワー水を吸い込むことを防止でき、蓋の開閉に強い力を必要としないヒンジキャップを提供する。【解決手段】  容器の口部に装着されるヒンジキャップであって、キャップ本体は、容器の口部に装着される装着部と、装着部から立設された蓋係合部と、蓋係合部よりも内側の装着部から立設された注出筒とを備え、蓋体は、頂壁と、頂壁の周縁部から垂設された側周壁と、頂壁の下面から垂設され、注出筒の内周に挿入される密閉筒と、側周壁の外周下部のヒンジと反対側に突設された鍔部とを備え、側周壁は、内周下部に、蓋係合部の上面および外周面と係合する下面と内側面とからなる被嵌合部を備え、側周壁は、ヒンジと反対側の下面に、中央から両側の所定位置まで周方向に凹設された肉抜き溝を備え、側周壁の肉抜き溝と被嵌合部の内側面との間は、変形可能な薄肉の変形壁部となっていることを特徴とする。【選択図】  図１
2018090273.tif 000002
【特許請求の範囲】
【請求項１】
容器の口部に装着されるキャップ本体と、キャップ本体にヒンジを介して連設された蓋体とからなるヒンジキャップであって、
キャップ本体は、容器の口部に装着される装着部と、装着部から立設された蓋係合部と、蓋係合部よりも内側の装着部から立設された注出筒と、注出筒の内周に連設された隔壁とを備え、
蓋体は、頂壁と、頂壁の周縁部から垂設された側周壁と、頂壁の下面から垂設され、注出筒の内周に挿入される密閉筒と、側周壁の外周下部のヒンジと反対側に突設された鍔部とを備え、
側周壁は、内周下部に、蓋係合部の上面および外周面と係合する下面と内側面とからなる被嵌合部を備え、
側周壁は、ヒンジと反対側の下面に、中央から両側の所定位置まで周方向に凹設された肉抜き溝を備え、
側周壁の肉抜き溝と被嵌合部の内側面との間は、変形可能な薄肉の変形壁部となっていることを特徴とするヒンジキャップ。
【請求項２】
肉抜き溝は、少なくとも鍔部の形成範囲内に設けられていることを特徴とする請求項１に記載のヒンジキャップ。
【請求項３】
肉抜き溝の高さは、被嵌合部の内側面の高さと同等以上であることを特徴とする請求項１または２に記載のヒンジキャップ。
【請求項４】
蓋係合部は、外周上部に、蓋係合突部が突設され、
被嵌合部の内側面は、上部に、蓋係合突部の外側先端付近と係合する係合凹部と、下部に、上部が蓋係合突部の外側下部と係合する係合突部とを備え、
係合突部のヒンジと反対側には、間欠溝が形成されていることを特徴とする請求項１〜３のいずれかに記載のヒンジキャップ。
【発明の詳細な説明】
【技術分野】
【０００１】
本発明は、容器の口部に装着されるヒンジキャップ、とくに高温の内容液を容器に充填した後、容器の口部に打栓により装着されるヒンジキャップに関するものである。
【背景技術】
【０００２】
容器の口部に装着されるキャップ本体と蓋体とからなるヒンジキャップにおいて、滅菌などのために、加熱して高温となった内容液を容器に充填した後、ヒンジキャップを容器の口部に打栓することが従来から行われている。
この種のキャップでは、打栓後、内容液が高温であるため、キャップ内の空気が暖められ、キャップの内圧が上昇して蓋体が持ち上げられ開蓋したり、打栓後に徐冷のためのシャワー水（温水）により、キャップの内圧が減圧状態となり、シャワー水を吸い込んでしまうことがあるので、これらを防止したヒンジキャップが従来から知られている（例えば、特許文献１参照）。
【先行技術文献】
【特許文献】
【０００３】
【特許文献１】特開２０１２−１２１６２４号公報
【発明の概要】
【発明が解決しようとする課題】
【０００４】
しかしながら、上記特許文献１記載のヒンジキャップは、蓋体の側周壁を肉厚にし、側周壁の変形を抑え、キャップ本体との嵌合を強固に維持してキャップ内の内圧が上昇しても開蓋しないようにしているため、普段使用する際、強固であるために蓋の開閉に対しての抵抗となって蓋の開閉に強い力が必要であるという問題があった。
【０００５】
本発明は、上記問題を解決することを課題とし、高温の内容液などによりキャップの内圧が上昇しても開蓋したり、シャワー水を吸い込むことを防止でき、また、蓋の開閉に強い力を必要としないヒンジキャップを提供することを目的とする。
【課題を解決するための手段】
【０００６】
本発明は、上記の課題を解決するため、ヒンジキャップとして、容器の口部に装着されるキャップ本体と、キャップ本体にヒンジを介して連設された蓋体とからなるヒンジキャップであって、キャップ本体は、容器の口部に装着される装着部と、装着部から立設された蓋係合部と、蓋係合部よりも内側の装着部から立設された注出筒と、注出筒の内周に連設された隔壁とを備え、蓋体は、頂壁と、頂壁の周縁部から垂設された側周壁と、頂壁の下面から垂設され、注出筒の内周に挿入される密閉筒と、側周壁の外周下部のヒンジと反対側に突設された鍔部とを備え、側周壁は、内周下部に、蓋係合部の上面および外周面と係合する下面と内側面とからなる被嵌合部を備え、側周壁は、ヒンジと反対側の下面に、中央から両側の所定位置まで周方向に凹設された肉抜き溝を備え、側周壁の肉抜き溝と被嵌合部の内側面との間は、変形可能な薄肉の変形壁部となっていることを特徴とする構成を採用する。
【０００７】
ヒンジキャップの具体的実施形態として、肉抜き溝は、少なくとも鍔部の形成範囲内に設けられていることを特徴とする構成を採用し、肉抜き溝の高さは、被嵌合部の内側面の高さと同等以上であることを特徴とする構成を採用し、蓋係合部は、外周上部に、蓋係合突部が突設され、被嵌合部の内側面は、上部に、蓋係合突部の外側先端付近と係合する係合凹部と、下部に、上部が蓋係合突部の外側下部と係合する係合突部とを備え、係合突部のヒンジと反対側には、間欠溝が形成されていることを特徴とする構成を採用する。
【発明の効果】
【０００８】
本発明のヒンジキャップは、上記構成を採用することにより、蓋体の側周壁のヒンジと反対側の変形壁部が変形可能であり、側周壁の他の部分が肉厚で変形しなくても、強い力を必要とせずに蓋の開閉を行うことができ、また、ヒンジキャップの成形後、蓋体を閉じる際にキャップ内の空気を外に逃がすことができる。
【図面の簡単な説明】
【０００９】
【図１】実施例１のヒンジキャップの閉蓋状態を示す図であり、（ａ）は側面断面図、（ｂ）は（ａ）の要部拡大図である。
【図２】実施例１のヒンジキャップの開蓋状態を示す図であり、（ａ）は上面図、（ｂ）は側面断面図である。
【図３】図１（ｂ）の打栓中の状態を示す図であり、（ａ）は嵌合突部が蓋係合突部に乗り上げ時の要部拡大図、（ｂ）は乗り越え時の要部拡大図である。
【図４】実施例２のヒンジキャップを示す図であり、（ａ）は閉蓋状態の側面断面図、（ｂ）は蓋体の下面図、（ｃ）は（ａ）の要部拡大図である。
【発明を実施するための形態】
【００１０】
次に、本発明のヒンジキャップについて、実施例をあげ、図面を参照して説明する。
【実施例１】
【００１１】
図１において、Ａは容器Ｄに装着されるキャップ本体、Ｂはキャップ本体ＡにヒンジＣを介して開閉可能に取り付けられた蓋体である。
容器Ｄは、上部に口部１を備え、口部１の外周面には、嵌合突条２が設けられている。
【００１２】
キャップ本体Ａは、図１および２に示すように、容器Ｄの口部１外周に装着される装着筒部５と、装着筒部５の上部内周側に連設されたリング状の基壁６と、基壁６の上面外周側に立設された蓋係合部７と、基壁６の内縁に立設された注出筒８と、基壁６の下面から垂設され、容器Ｄの口部１の内周に挿入される挿入筒９と、基壁６から注出筒８の内周下端に連設された隔壁１０と、装着筒部５の外周から一定の間隙をおいて連設された外周壁部１１とを備えている。
ここで、装着筒部５と基壁６と挿入筒９は、装着部を構成している。
装着筒部５の外周下端部と外周壁部１１の内周下端部との間は、ヒンジＣと反対側の位置に設けられた破断不能な連結部１２と、連結部１２以外の箇所に間隔をおいて複数配設された破断可能な弱化部１３とを介して連設されている。
【００１３】
装着筒部５の内周下部には、打栓後に容器Ｄの口部１の嵌合突条２の下部と上部が係合する嵌合突部１４が設けられている。
蓋係合部７の外周上部には、蓋体Ｂと係合して閉蓋を維持する蓋係合突部１５が突設されている。
【００１４】
注出筒８の内周下部のヒンジＣ側には、内圧逃がしリブ１６が配設されている。
本実施例では、内圧逃がしリブ１６を隙間を空けて二箇所配設したが、一つまたは隙間を空けて複数配設してもよい。
【００１５】
隔壁１０には、注出口を開口する薄肉の破断部１７が設けられており、隔壁１０の上面には、破断部１７の区画内に、注出口の開口時に引上げるプルリング１８が支柱を介して立設されている。
【００１６】
蓋体Ｂは、頂壁２０と、頂壁２０の周縁部から垂設され、他の壁に比べ周壁が肉厚な側周壁２１と、頂壁２０の下面から垂設され、注出筒８の内周に挿入される密閉筒２２とからなり、側周壁２１の下端外周にヒンジＣが連設され、蓋体Ｂは、ヒンジＣを介してキャップ本体Ａの外周壁部１１の外周上端部に、回動自在に取着されている。
側周壁２１の外周下部のヒンジＣと反対側には、中央から両側の所定の位置までを形成範囲ｗとして、周方向に延びる鍔部２３が突設され、鍔部２３は、外方に向かい水平に形成されている。
【００１７】
側周壁２１の内周下部には、キャップ本体Ａの蓋係合部７の上面および外周面と係合する下面と内側面とからなる被嵌合部２４が形成されている。
被嵌合部２４の内側面には、上部に、蓋係合突部１５の外側先端付近と係合する係合凹部２５が凹設され、下部に、上部が蓋係合突部１５の外側下部と係合する係合突部２６が突設されており、係合突部２６のヒンジＣと反対側には、間欠溝２７が切り欠かれている。
【００１８】
側周壁２１のヒンジＣと反対側の下面には、図１および２に示すように、鍔部２３の形成範囲ｗ内で中央から両側に周方向に延びるとともに、図１（ｂ）に示すように、被嵌合部２４の内側面の高さｈ１と同等以上の高さｈ２で切り込まれた空間ａを形成する肉抜き溝２８が凹設され、側周壁２１の肉抜き溝２８と被嵌合部２４の内側面との間は、変形可能な薄肉の変形壁部２９となっている。
本実施例では、肉抜き溝２８は、側周壁２１の下面に、鍔部２３の形成範囲ｗ内で中央から両側に延びる一つの溝としたが、肉抜き溝２８は、少なくとも側周壁２１の鍔部２３の形成範囲ｗを含めば、形成範囲ｗを超えて設けてもよく、少なくともヒンジＣと反対側に変形壁部２９を形成するように１つ設ければよく、周方向に短い肉抜き溝を複数配設するようにしてもよい。
【００１９】
次に、本実施例の使用態様と作用効果について説明する。
本実施例のヒンジキャップは、図２に示す状態で成形した後、蓋体ＢをヒンジＣを介してキャップ本体Ａに対して回動させ、キャップ本体Ａの注出筒８内周に蓋体Ｂの密閉筒２２を挿入させるとともに、キャップ本体Ａの蓋係合部７と蓋体Ｂの側周壁２１の被嵌合部２４とを嵌合させ、閉蓋する。
また、閉蓋時には、図１に示すように、蓋体Ｂとキャップ本体Ａとの内方に、注出筒８と密閉筒２２との内方に空間ｂ、注出筒８と密閉筒２２との外方および蓋係合部７と側周壁２１の内方に空間ｃが形成される。
【００２０】
閉蓋中には、蓋係合部７の蓋係合突部１５の上面に被嵌合部２４の係合突部２６の下面が当接して乗り越えようとするが、嵌合初期および中期では、蓋体Ｂ自体がキャップ本体Ａに対して僅かにずれるので簡単に乗り越え、嵌合終期では、図３（ａ）、３（ｂ）に示すように、側周壁２１の変形壁部２９自体が下部から空間ａ側に変形するので乗り越え易くなる。
また、変形壁部２９の係合突部２６に設けた間欠溝２７が空気の流路となり、空間ｃおよび被嵌合部２４と蓋係合部７との間の余分な空気が外に排出され、ヒンジキャップ内の圧力を適正に保ち、閉蓋を阻害することがない。
【００２１】
次に、閉蓋したヒンジキャップは、滅菌などために高温な内容液が充填された容器Ｄの口部１に打栓して装着される。
打栓工程は、キャップ本体Ａの装着筒部５と挿入筒９との間に形成された環状溝に容器Ｄの口部１を当てがい、蓋体Ｂの上から押圧力を加える。
その際、蓋体Ｂがキャップ本体Ａに対して下方に押し付けられ、頂壁２０とともに密閉筒２２がキャップ本体Ａの注出筒８に対して下降し、密閉筒２２のヒンジＣ側の外周先端部が注出筒８内の内圧逃がしリブ１６に乗り上げ、間に隙間を形成する。
その隙間より、密封筒２２と注出筒８の内方の空間ｂの空気が、空間ｃに排出される。
【００２２】
打栓が終了し、蓋体Ｂの上からの押圧力が外されると、側周壁２１および密閉筒２２の復元力により、蓋体Ｂが上方に持ち上げられることで、速やかに各隙間が閉鎖され、特に密封筒２２と注出筒８の内方の空間ｂ内が負圧となる。
【００２３】
打栓後、徐冷または洗浄のためにシャワー水（温水）がかけられる。
高温な内容液の熱およびシャワー水により、ヒンジキャップ内の空気が暖められて内圧が増加するが、密封筒２２と注出筒８の内方の空間ｂが負圧であるので、頂壁２０および密閉筒２２を持ち上げる程に内圧が上がることはなく、また、側周壁２１が肉厚であり、あまり変形せず、側周壁２１の被嵌合部２４と蓋係合部７との嵌合が強く維持されているので、蓋体Ｂが開蓋してしまうことを防止している。
なお、内圧上昇により蓋体Ｂが開蓋しようとした場合は、蓋体Ｂが少し持ち上がり、係合突部２６の間欠溝２７から空間ｃの空気が排出されるので、蓋体Ｂは、開蓋することがない。
【００２４】
また、シャワー水により、ヒンジキャップ内が冷却され、負圧になったとしても、被嵌合部２４と蓋係合部７との嵌合が強く維持されており、密封性が良いので、その部分に隙間ができ、シャワー水をヒンジキャップ内に吸い込むことがない。
【００２５】
開蓋時には、蓋体Ｂの鍔部２３に指を掛け、上に押し上げると、ヒンジＣと反対側の側周壁２１が持ち上げられ、変形壁部２９が下部から空間ａ側に変形し、その部分の係合突部２６と蓋係合突部１５との係合が外れ易くなるので、側周壁２１の他の壁が肉厚でそれほど変形しなくても、係合を外す力を弱くすることができる。
【００２６】
容器Ｄ内の内容液を使用する際には、ヒンジキャップの蓋体Ｂを開蓋し、キャップ本体Ａの隔壁１０のプルリング１８に指を掛けて引っ張り、破断部１７を破断することで隔壁１０に開口を開設し、容器Ｄ内の内容液を注出筒８を介して注出することができる。
【００２７】
使用後は、蓋体Ｂを再び閉蓋することで、蓋体Ｂの密閉筒２２がキャップ本体Ａの注出筒８内周に挿入され、キャップ本体Ａ内を密封することができ、ヒンジキャップの開封後も、繰り返し蓋体Ｂを開閉して使用することができる。
【００２８】
本実施例のヒンジキャップは、容器Ｄ内の内容液を全部使用した後、容器Ｄの口部１から分別して廃棄することができる。
その際には、ヒンジキャップの蓋体Ｂを開蓋し、蓋体Ｂを指で把持して上方に引っ張ると、ヒンジＣとともにキャップ本体Ａの外周壁部１１は、ヒンジＣ連結部位から上方に引っ張られ、装着筒部５に対して弱化部１３を破断しながら引き上げられ、さらに引っ張ると、ヒンジＣと反対側の連結部１２を介して装着筒部５を引っ張り変形させ、容器Ｄとの嵌合を外していき、ヒンジキャップと容器Ｄとを分別廃棄することができる。
【実施例２】
【００２９】
次に、蓋体Ｂの形状を変更した第２実施例について説明する。
以下、第１実施例と同一の構成部分には同一の符号を付し、異なる構成部分のみ異なる符号を付して相違点を中心に説明する。
【００３０】
図４に示すように、蓋体Ｂａは、頂壁２０と、頂壁２０の周縁部から垂設され、他の壁に比べ周壁が肉厚となる側周壁３０と、頂壁２０の下面に垂設され、注出筒８の内周に挿入される密閉筒２２とからなっており、側周壁３０の外周下部のヒンジＣと反対側には、中央から両側の所定の位置までを形成範囲ｗとして、周方向に延びる鍔部３１が突設されている。
鍔部３１は、側周壁３０の下端面から延びる水平に延びる下部３２と下部３２の先端から側周壁３０に向かって上昇する傾斜部３３とからなっている。
【００３１】
側周壁３０のヒンジＣと反対側の下部には、側周壁３０の下面から鍔部３１の下部３２の外側縁を残す位置までの径方向幅を有するとともに、形成範囲ｗ内で周方向に延び、内側の高さが被嵌合部２４の内側面の高さｈ１と同等以上の高さｈ２で切り込まれとともに、鍔部３１の傾斜部３３に壁を形成するように傾斜に沿って肉抜き溝３４が凹設され、空間ｄが形成されている。
側周壁３０の肉抜き溝３４と被嵌合部２４の内側面との間は、変形可能な薄肉の変形壁部２９となっている。
【００３２】
本実施例の作用効果は、開蓋時に、蓋体Ｂａの鍔部３１の下部３２下面に指を掛ける際に、肉抜き溝３４が切り込まれて残った外縁部および肉抜き溝３４自体に指が掛かり、引っ掛かり易くなっている。
その他の構成は第１実施例と同じであり、同様の作用効果を奏する。
【産業上の利用可能性】
【００３３】
本発明のヒンジキャップは、蓋体の側周壁のヒンジと反対側の内側の変形壁部が外側に変形するので、側周壁の他の部分が肉厚で変形しなくても、簡単に蓋の開閉をすることができ、また、容器に高温の内容液を充填した場合に、キャップの内圧が上がっても、蓋体が開いてしまうことを防止することができ、内容液が高温である容器の口部に打栓するヒンジキャップとして好適である。
【符号の説明】
【００３４】
Ａ            キャップ本体
Ｂ、Ｂａ      蓋体
Ｃ            ヒンジ
Ｄ            容器
ａ、ｂ、ｃ、ｄ    空間
ｈ１、ｈ２    高さ
ｗ            形成範囲
１            口部
２            嵌合突条
５            装着筒部
６            基壁
７            蓋係合部
８            注出筒
９            挿入筒
１０            隔壁
１１            外周壁部
１２            連結部
１３            弱化部
１４            嵌合突部
１５            蓋係合突部
１６            内圧逃がしリブ
１７            破断部
１８            プルリング
２０            頂壁
２１、３０      側周壁
２２            密閉筒
２３、３１      鍔部
２４            被嵌合部
２５            係合凹部
２６            係合突部
２７            間欠溝
２８、３４      肉抜き溝
２９            変形壁部
３２            下部
３３            傾斜部
【図１】
2018090273.tif 000003
【図２】
2018090273.tif 000004
【図３】
2018090273.tif 000005
【図４】
2018090273.tif 000006